(57)【要約】【課題】  スカートの丈を手軽に何度でも調整しその状態を保持できる保持板及びその保持板を使用したベルトを提供する。【解決手段】  本実施形態の保持板（４０）は、スカート用のベルトに取り付けられる保持板（４０）である。その保持板は、スカートの生地よりも硬い材料からなる本体（４１）を備える。本体の一端部（４３）は、スカートを折り曲げた一部がベルトと本体との間に入りやすいように、円弧形状、台形形状又は三角形状に形成されている。またその保持板（４０）はベルト（１０）に取り付けられる。【選択図】  図２
2019085665.tif 000002
【特許請求の範囲】
【請求項１】
スカート用のベルトに取り付けられる保持板であって、
前記スカートの生地よりも硬い材料からなる本体、を備え、
前記本体の一端部は、前記スカートを折り曲げた一部が前記ベルトと前記本体との間に入りやすいように、円弧形状、台形形状又は三角形状に形成されている、保持板。
【請求項２】
前記ベルトに取り付けられるための締結部をさらに備え、
前記本体の材料は合成樹脂又は金属からなり、前記本体に開口部が形成され、
前記締結部は、前記合成樹脂又は金属で挟まれ、前記開口部を塞ぐ布を含む、請求項１に記載の保持板。
【請求項３】
前記ベルトに取り付けられるための締結部をさらに備え、
前記本体の材料は、合成樹脂又は金属からなり、
前記締結部は、前記本体の底辺から前記本体の法線方向に折り曲げられたフック部を含む、請求項１に記載の保持板。
【請求項４】
前記ベルトに取り付けられるための締結部をさらに備え、
前記本体の材料は、生地、不織布、合成樹脂又は金属からなり、
前記締結部は、スナップボタン、ドットボタンもしくはバネホックの雄又は雌の一方を含む、請求項１に記載の保持板。
【請求項５】
前記ベルトに取り付けられるための締結部をさらに備え、
前記本体の材料は、生地、不織布、合成樹脂又は金属からなり、
前記締結部は、前記本体の一端部と他端部とを結ぶ方向と交差する方向に伸びた伸張部を含む、請求項１に記載の保持板。
【請求項６】
請求項１から請求項５に記載のいずれか一項に記載の保持板を、前記スカートの後身頃に対応する位置に取り付けたベルト。
【発明の詳細な説明】
【技術分野】
【０００１】
本発明は、スカートの丈もしくは裾を調整した状態を保持する保持板、その保持板を使ったベルトに関する。
【背景技術】
【０００２】
従来、スカートの丈を調整する場合には、スカートのウエスト部分の幅数センチほどのかたい部分（腰帯部と呼ばれる。）を１、２回折ってスカートを短くしたり、スカートの裾を折り曲げてその折り曲げた箇所を熱溶着テープ等によって固定したりしてスカート丈を短くしたり調整したりしていた。特許文献１は、熱溶着テープ等を使用せず、ズボン丈を手軽に何度でも調整できるズボンを開示している。
【先行技術文献】
【特許文献】
【０００３】
【特許文献１】特開２０１７−５３０６２号
【発明の概要】
【発明が解決しようとする課題】
【０００４】
一方、スカートの柄を活かし且つスカートのヒダをきれいな状態で腰帯部を折り返して短くする手法では、スカートを履いている最中にその腰帯部が緩んできたりして、何度も腰帯部を折り曲げ直す必要があった。
【０００５】
本発明は、上記の実情に鑑みてなされたものであり、スカートの丈を手軽に何度でも調整しその状態を保持できる保持板及びその保持板を使用したベルトを提供する。
【課題を解決するための手段】
【０００６】
本実施形態の保持板は、スカート用のベルトに取り付けられる保持板である。その保持板は、スカートの生地よりも硬い材料からなる本体を備える。本体の一端部は、スカートを折り曲げた一部がベルトと本体との間に入りやすいように、円弧形状、台形形状又は三角形状に形成されている。
【０００７】
さらに実施形態の保持板はベルトに取り付けられるための締結部をさらに備える。また保持板の本体の材料は生地、不織布、樹脂又は金属からなる。本体には開口部が形成され、締結部は、樹脂又は金属で挟まれ、開口部を塞ぐ布を含む。また締結部は、本体の底辺から本体の法線方向に折り曲げられさらに本体の上方向に折り曲げられたフック部を含んでもよい。また締結部は、スナップボタン、ドットボタンもしくはバネホックの雄又は雌の一方を含んでもよい。さらに締結部は、本体の一端部と他端部とを結ぶ方向と交差する方向に伸びた伸張部を含んでもよい。
【０００８】
本実施形態のベルトは、上述の保持板を、スカートの後身頃に対応する位置に取り付けている。
【発明の効果】
【０００９】
本発明の保持板を使えば、スカートを履いている最中にその腰帯部が緩んできることがない。
【図面の簡単な説明】
【００１０】
【図１】スカートの腰帯部ＷＢをスカートの外側に１度折り返してベルト１０を締めた状態を示した図である。
【図２】ミシン等を使って、糸で締結される保持板を示した図である。
【図３】ミシン等を使って、糸で締結される一部に開口部を有する保持板を示した図である。
【図４】フック部を有する保持板、その保持板を使ったベルトを示した図である。
【図５】第３実施形態のフック部を有する保持板の別例を示した図である。
【図６】ボタンを有する保持板、その保持板を使ったベルトを示した図である。
【図７】伸張部を有する保持板その保持板を使ったベルトを示した図である。
【発明を実施するための形態】
【００１１】
以下、図面に基づいて本実施形態に係るスカートの丈を調整した状態を保持する保持板及び保持板が取り付けられたベルトについて説明する。本実施形態では女子学生用スカートとして用いられているナイフプリーツスカートに本実施例を適用した例を示している。
【００１２】
図１は、本実施形態に係るスカートＳＫの一例を示した斜視図である。スカートＳＫは、スカート本体ＳＨとそのスカート本体ＳＨの上部で人体のウエストにフィットする腰帯部ＷＢとからなる。腰帯部ＷＢの高さ（幅）Ｈは、例えば２〜５ｃｍである。またこの図１では脇で前身頃ＳＨ１と後身頃ＳＨ２を合わせ、脇合わせ部ＳＨ３のファスナー（不図示）で閉じるとともに、フック金具（不図示）で腰帯部ＷＢを留めている。なお、本実施形態では腰帯部ＷＢを有するスカートで説明するが、腰帯部がなくてもよい。
【００１３】
図１（ａ）は通常の使用状態のスカートＳＫを示した図である。腰帯部ＷＢは折り返しいない。図１（ｂ）は腰帯部ＷＢをスカートの外側に１度折り返した状態を示した図である。つまり、図１（ｂ）に描かれている腰帯部ＷＢは、腰帯部ＷＢの内布である。腰帯部ＷＢを１度折り返した分、スカートの丈がＨだけ短くなっている。腰帯部ＷＢの折り返しは、一般にファスナー（不図示）を閉めフック金具（不図示）を留めた状態で行われる。図１（ｃ）は腰帯部ＷＢを折り返し、保持板が取り付けられたベルト１０を締めた状態を示した図である。保持板を有するベルト１０を締めることで、腰を前後に曲げたりしても、スカートＳＫとベルト１０とがずれたりしない。
【００１４】
＜第１実施形態＞
図２は、第１実施形態を示した図であり、図２（ａ）はベルト１０の裏面１２である。図２（ｂ１）は（ａ）のＡ−Ａ断面の拡大図であり、（ｂ２）はベルト１０と保持板４０との間スカートＳＫの腰帯部ＷＢが差し込まれたＡ−Ａ断面の拡大図である。図２（ｃ）は、保持板４０の拡大図である。
【００１５】
図２（ａ）において、ベルト１０の＋Ｘ側の端にはバックル１８が取り付けられており、―Ｘ側の端にはバックル１８のピンが入る貫通孔１９が複数形成されている。またベルトの幅ＨＬは、腰帯部ＷＢの幅Ｈの例えば１．５倍から３倍程度である。ベルト１０の裏面１２で且つ幅方向（Ｚ方向）の下側には、保持板４０が複数取り付けてられている。ベルト１０は、布、天然革又は合成革などから構成される。本実施例では１枚の布、天然革又は合成革で描かれているが、これらを２枚以上合わせたベルト１０であってもよい。また本実施形態で示されるバックル１８は円形状であるがその形状や種類はどのようなものであってもよい、またバックルを使わないベルトであってもよく、手でベルトの両端を結ぶタイプであってもよい。またスカートＳＫと同じ生地を使ったベルトにすることでベルトをスカートＳＫの一部のように見せたり、一見してベルトを締めていないように見せたりしてもよい。
【００１６】
左側（−Ｘ側）の保持板４０は、スカートＳＫを履いた人の右側の腰の近傍に相当する位置に取り付けられ、中央の３つの保持板４０は、スカートＳＫを履いた人の背中側の腰の近傍に相当する位置に取り付けられ、右側（＋Ｘ側）の保持板４０は、スカートＳＫを履いた人の左側の腰の近傍に相当する位置に取り付けられている。背中側に相当する位置に複数の保持板４０を取り付けて、人が屈んだり腰を曲げたりした際にも、スカートＳＫの腰帯部ＷＢとベルト１０とが位置ずれしないようにしている。これら保持板４０は、ミシンで糸４８によってベルト１０に締結される。
【００１７】
図２（ａ）及び（ｃ）に示されるように、第１実施形態の保持板４０は上底４３が短く下底４２が長い台形形状である。保持板４０の本体４１は硬めの生地もしくは不織布、合成樹脂（熱硬化性樹脂、熱可塑性樹脂）である。これらはスカートの生地もしくは素材よりも硬いことが好ましく、熱可塑性樹脂の一例として１〜２ｍｍ厚の発泡ポリエチレンが特に好ましい。薄い発泡ポリエチレンはミシン針を通すことができ、製造に適している。図２（ｂ１）及び（ｂ２）に示されるように、保持板４０の高さＨＭは、ベルトの幅ＨＬよりも短くベルトの幅ＨＬの約半分ぐらいである。また保持板４０は、その下底４２に沿って、１例、２列又は３列等の糸４８により、ベルト１０の裏面１２に締結される。一列の糸４８の場合には、保持板４０はギザギザに縫って締結される。デザイン上で問題なければ、ベルト１０の表面１１に糸４８が出ても良い。保持板４０の高さＨＭの半分以上、すなわち長さＨＮが接しているだけであり、１度外側に折り返したスカートＳＫの腰帯部ＷＢ（一点鎖線）がベルト１０の裏面１２と保持板４０との間に差し込まれる。腰帯部ＷＢが保持板４０によってベルト１０に保持され、人が前屈したりしても、折り返した腰帯部ＷＢがベルト１０から飛び出ることがない。
【００１８】
＜第２実施形態＞
図３は、第２実施形態を示した図であり、図３（ａ）はベルト１０Ｂの裏面１２である。図３（ｂ１）は（ａ）のＡ−Ａ断面の拡大図であり、（ｂ２）はベルト１０Ｂと保持板５０との間スカートＳＫの腰帯部ＷＢが差し込まれたＡ−Ａ断面の拡大図である。図３（ｃ）は、保持板５０の拡大図である。第１実施例と異なるところを説明し、ベルトの同じ構成及び同じ符号に関しては説明を割愛する。
【００１９】
図３（ａ）において、ベルト１０Ｂは第１実施形態のベルト１０と異なり、裏面１２の上辺に突出部１３が形成されている。この突出部１３の突出量（Ｙ方向）は、腰帯部ＷＢ及びスカートＳＫの厚み並びに保持板５０の厚みにより生じるベルト上部と腹部との隙間が自然と隠せる程度の距離とする。裏地を設けないスカートＳＫの使用やベルトの幅を広くすることで突出部１３突出量（Ｙ方向）を抑えることもできる。突出部１３は、Ｘ方向に長さＬＳだけ形成されており、貫通孔１９が形成されている領域ＬＡには形成されていない。ベルト１０Ｂが腰を一周して重なる領域で、突出部１３が二重になることを防ぐためである。バックルを使わないベルトでも、ベルトが二重になる領域には突出部１３を設けないことが好ましい。ベルト１０Ｂの裏面１２で且つ幅方向（Ｚ方向）の下側には、保持板５０が複数取り付けてられている。
【００２０】
図３（ａ）及び（ｃ）に示されるように、第２実施形態の保持板５０は底辺５２が直線の辺であり上辺５３が円弧状の矩形形状である。保持板５０の本体５１は、合成樹脂又は金属である。保持板５０は、腰帯部ＷＢがベルト１０Ｂの裏面１２と保持板１０との間に入りやすいように、折り曲げ部５４で折り曲げられている。また保持板５０の底辺５２の近傍に、開口部５６が形成されている。
【００２１】
図３（ｂ１）及び（ｂ２）に示されるように、保持板５０は２枚の板を結合した構成であり、その板の間には締結部となる布５７が挟まれている。つまり開口部５６は布５７で塞がれた状態である。その布５７が２列又は３列の糸５８によりベルト１０Ｂに縫い付けられ、保持板５０はベルト１０Ｂの裏面１２に締結される。デザイン上で問題なければ、ベルト１０Ｂの表面１１に糸５８が出ても良い。保持板５０の長さＨＮがベルト１０Ｂの裏面１２との間に隙間があり、１度外側に折り返した腰帯部ＷＢがベルト１０Ｂの裏面１２と保持板５０との間に差し込まれる。さらにベルト１０Ｂの突出部１３は、腰帯部ＷＢが飛び出してくることを防ぐ。また、ベルト１０Ｂの突出部１３は、腰帯部ＷＢ及びスカートＳＫの厚み並びに保持板５０の厚みにより生じるベルト上部と腹部との隙間を自然に隠すことができる。このため、ファッション的にベルト１０Ｂの表面１１がＺ軸方向に向いていて、きれいに見える。
【００２２】
＜第３実施形態＞
図４及び図５は、保持板６０（６０ａ、６０ｂ、６０ｃ、６０ｄ）を使った第３実施形態を示した図であり、図４（ａ）は突出部１３が形成されたベルト１０Ｂの裏面１２である。図４（ｂ）は（ａ）のＡ−Ａ断面の拡大図である。図４（ｃ１）は、保持板６０ａの拡大正面図であり、（ｃ２）は側面図である。第２実施例と異なるところを説明し、ベルトの同じ構成及び同じ符号に関しては説明を割愛する。
【００２３】
図４（ａ）において、突出部１３が形成されたベルト１０Ｂは第２実施形態のベルト１０Ｂと基本的に同じであるが、突出部１３に加えて裏面１２の下辺に沿って複数の孔部１４が形成されている。この孔部１４は、クリップ型の保持板６０ａが差し込まれる孔である。保持板６０ａの一部が孔部１４から差し込まれるので、ベルト１０Ｂは、表側のベルト層と裏側面とベルト層とが二枚重ね合わせたものが好ましい。クリップ型の保持板６０ａを複数のどれかの孔部１４に着脱すれば、保持板６０ａとベルト１０Ｂとが締結するので、人のウエストに合わせて、保持板６０ａの位置を適宜調整できる。
【００２４】
図４（ａ）及び（ｃ１）に示されるように、第３実施形態の保持板６０ａは底辺６２ａが直線の辺であり上辺６３ａが円弧状の矩形形状である。保持板６０ａの本体６１ａは合成樹脂又は金属である。保持板６０ａは、腰帯部ＷＢがベルト１０Ｂの裏面１２と保持板１０との間に入りやすいように、折り曲げ部６４ａで折り曲げられている。また図４（ｃ２）に示されるように、保持板６０ａの底辺６２ａから−Ｙ方向（本体の面に対して法線方向）に折り曲げられさらに＋Ｚ方向に折り曲げられたフック部６６ａ，６７ａが形成されている。締結部であるフック部６７ａの先端には＋Ｙ方向に突き出た抑え部６８ａが形成されている。
【００２５】
図４（ｂ）に示されるように、保持板６０ａのフック部６６ａ、６７ａが孔部１４に差し込まれる。そして保持板６０ａの本体６１ａと抑え部６８ａとで、ベルト１０Ｂの一部を挟み込む。そして第２実施形態と同様に、１度外側に折り返した腰帯部ＷＢがベルト１０Ｂの裏面１２と保持板６０ａとの間に差し込まれる。
【００２６】
第３実施形態では、保持板６０ａの締結部であるフック部６６ａ，６７ａが孔部１４に差し込まれたが、孔部１４を有さないベルトであってもよい。デザイン上で問題なければ、孔部１４が無いベルトに対して、保持板６０ａのフック部６６ａ，６７ａが、ベルトの下辺に差し込まれてもよい、この場合には、フック部６７ａがベルト１０Ｂの表面１１に出てくる。
【００２７】
次に、図５は、保持板６０ｂ、６０ｃ、６０ｄを使った第３実施形態を説明する。ベルト１０Ｂは上述した通り裏面１２の下辺に沿って複数の孔部１４が形成されてもので、その孔部１４に保持板６０ｂ、６０ｃ、６０ｄのフック部が差し込まれる。
【００２８】
図５（ａ１）は第３実施形態の保持板６０ｂの正面図であり、（ａ２）は、保持板６０ｂの側面図である。保持板６０ｂは底辺６２ｂが直線の辺であり上辺６３ｂが円弧状の矩形形状である。保持板６０ｂの本体６１ｂは合成樹脂又は金属である。保持板６０ｂは、腰帯部ＷＢがベルト１０Ｂの裏面１２と保持板１０との間に入りやすいように、折り曲げ部６４ｂで折り曲げられている。また図５（ａ２）に示されるように、保持板６０ｂの底辺６２ｂから−Ｙ方向（本体の面に対して法線方向）に折り曲げられさらに−Ｚ方向に折り曲げられたフック部６６ｂ，６７ｂが形成されている。
【００２９】
図５（ｂ１）は保持板６０ｃの正面図であり、（ｂ２）は、保持板６０ｃの側面図である。保持板６０ｃは、腰帯部ＷＢがベルト１０Ｂの裏面１２と保持板１０との間に入りやすいように、折り曲げ部６４ｃで折り曲げられている。また図５（ｂ２）に示されるように、保持板６０ｃの底辺６２ｃから−Ｙ方向（本体の面に対して法線方向）に折り曲げられさらに＋Ｚ方向及び−Ｚ方向に折り曲げられたフック部６６ｃ，６７ｃが形成されている。
【００３０】
図５（ｃ１）は保持板６０ｄの正面図であり、（ｃ２）は、保持板６０ｄの側面図である。保持板６０ｄは、腰帯部ＷＢがベルト１０Ｂの裏面１２と保持板１０との間に入りやすいように、折り曲げ部６４ｄで折り曲げられている。また図５（ｃ２）に示されるように、保持板６０ｄの底辺６２ｄから−Ｙ方向（本体の面に対して法線方向）に折り曲げられさらに＋Ｚ方向に折り曲げられたフック部６６ｄ，６７ｄが形成されている。保持板６０ｄのフック６７ｄはさらに−Ｚ方向に折り曲げられたフック部６８ｄが形成されている。
保持板６０ｂ
【００３１】
図４に描かれた保持板６０ａと比べて、保持板６０ｂ、６０ｃ、６０ｄは、−Ｚ方向にのびるフック部があるため、上から下への力（−Ｚ方向の力）に対して孔部１４から外れにくい。保持板６０ｂは孔部１４にフック部６６ｂ、６７ｂが容易に差し込まれるが、逆に孔部１４から外れやすい。保持板６０ｂと比べて、保持板６０ｃは孔部１４にフック部６６ｃ、６７ｃが差し込み難いが、逆に孔部１４から外れ難い。保持板６０ｃと比べて、保持板６０ｄは孔部１４にフック部６６ｄ、６７ｄ、６８ｄがさらに差し込み難いが、逆に孔部１４からさらに外れ難い。
【００３２】
＜第４実施形態＞
図６は、第４実施形態を示した図であり、図６（ａ）は突出部１３が形成されたベルト１０Ｂの裏面１２である。図６（ｂ）は（ａ）のＡ−Ａ断面の拡大図であり、図６（ｃ）は、保持板７０の拡大図である。第２実施例と異なるところを説明し、ベルトの同じ構成及び同じ符号に関しては説明を割愛する。
【００３３】
図６（ａ）において、突出部１３が形成されたベルト１０Ｂは第２実施形態のベルト１０Ｂと基本的に同じであるが、突出部１３に加えて裏面１２の下辺に沿って複数の雄ボタン又は雌ボタン１５の一方が形成されている。この雄ボタン又は雌ボタン１５に、保持板７０の締結部である雌ボタン又は雄ボタン７７が締結する。保持板７０のボタン７７をベルト１０Ｂの複数のどれかのボタン１５に着脱して保持板７０とベルト１０Ｂとを締結すればよいので、人のウエストに合わせて、保持板７０の位置を適宜調整できる。
【００３４】
図６（ａ）及び（ｃ）に示されるように、第４実施形態の保持板７０は底辺７２が直線の辺であり上辺７３が三角状の５角形形状である。保持板７０の本体７１は硬め生地もしくは不織布、合成樹脂又は金属である。保持板７０は、底辺７２の周辺に雌ボタン又は雄ボタン７７が形成される。図６（ｃ）では１つのボタン７７が配置されているが、底辺７２に平行に２、３個のボタン７７を配置してもよい。また図６（ａ）には、５角形状の保持板７０を３つ合わせた形状の保持板７０ｂが示されている。人が屈んだり腰を曲げたりした際に、背中側が特にスカートＳＫの腰帯部ＷＢとベルト１０Ｂとが位置ずれするため、それを防ぐために幅広い保持板７０ｂを配置している。この幅広い保持板７０ｂは、２つ以上合わせたものであれば、４，５合わせたものであってもよい。また上述したボタン１５及びボタン７７は、例えばスナップボタン、ドットボタンもしくはバネホックを含む。
【００３５】
図６（ｂ）に示されるように、雄ボタン又は雌ボタン１５に、保持板７０の雌ボタン又は雄ボタン７７が締結しているためボタンの厚みだけ隙間ができる。その隙間に１度外側に折り返した腰帯部ＷＢがベルト１０Ｂの裏面１２と保持板７０との間に差し込まれる。
【００３６】
＜第５実施形態＞
図７は、第５実施形態を示した図であり、図７（ａ）はベルト１０の裏面１２である。図７（ｂ）は（ａ）のＡ−Ａ断面の拡大図であり、図７（ｃ）は、保持板８０の拡大図である。第１実施例と異なるところを説明し、ベルトの同じ構成及び同じ符号に関しては説明を割愛する。
【００３７】
図７（ａ）において、ベルト１０は第１実施形態のベルト１０と基本的に同じであるが、裏面１２の下辺に沿って複数のスリット孔１８が形成されている。このスリット孔１８に、締結部である保持板８０の伸張部８８が差し込まれ、ベルト１０と保持板８０とが締結される。保持板８０の伸張部８８をベルト１０の複数のどれかのスリット孔１８に着脱すればベルト１０と保持板８０とを締結できるので、人のウエストに合わせて保持板８０の位置を適宜調整できる。
【００３８】
図７（ａ）及び（ｃ）に示されるように、第５実施形態の保持板８０は底辺８２が直線の辺であり上辺８３が台形状の６角形形状である。保持板８０の本体８１は硬め生地もしくは不織布、合成樹脂又は金属である。保持板８０は、腰帯部ＷＢがベルト１０の裏面１２と保持板８０との間に入りやすいように、折り曲げ部８４で折り曲げられている。また保持板８０の底辺８２の近傍に、所定幅の伸張部８８が形成される。その伸張部８８は、本体の底辺８２と上辺８３とを結ぶ方向と交差する方向（Ｘ方向）に伸びるように両側に形成される。図７（ｃ）では１つの伸張部８８が配置されているが、底辺８２に平行に２、３個の伸張部８８を配置してもよい。また図７（ａ）には、６角形状の保持板８０を３つ合わせた形状の保持板８０ｂが示されている。第４実施形態と同様に、背中側が特にスカートＳＫの腰帯部ＷＢとベルト１０とが位置ずれしやすいため、それを防ぐために幅広い保持板８０ｂを配置している。
【００３９】
図７（ｂ）に示されるように、スリット孔１８に、保持板８０の伸張部８８がスリット孔１８に差し込まれ、ベルト１０と保持板８０とが締結する。そして第２実施形態と同様に、１度外側に折り返した腰帯部ＷＢがベルト１０の裏面１２と保持板８０との間に差し込まれる。
【００４０】
以上、本実施形態を説明してきたが、これら実施形態には限定されない。本実施形態では、ナイフプリーツスカートを例示したが、他のプリーツスカートやタイトスカートなど各種スカートに適用できる。また当業者は、本発明の技術的範囲またはその均等の範囲内において、上述した実施形態の構成要素に関し、様々な変更、コンビネーション又は代替を行ってもよい。例えば第１実施形態の保持板４０を第２実施形態の保持板５０と代替えして適用してもよい。また第２，３及び第５実施形態では、折り曲げ部が形成されていたが、折り曲げ部がなくてもよい。逆に、第１及び第４実施形態では折り曲げ部がなかったが、保持板に折り曲げ部を設けても良い。また第１実施形態及び第５実施形態で突出部１３が形成されるベルト１０Ｂを使用しても良く、逆に第２実施形態から第４実施形態で突出部１３のないベルト１０を使用しても良い。
【符号の説明】
【００４１】
１０、１０Ｂ  …  ベルト
１３  …  突出部    １４  …  孔部
１８  …  バックル    １９  …  貫通孔
４０、５０、６０（６０ａ、６０ｂ、６０ｃ、６０ｄ）、７０、８０  …  保持板
４２  …  下底    ４３  …  上底    ４８、５８  …  糸
５２、６２、７２、８２  …  底辺
５３、６３、７３、８３  …  上辺
５４、６４、８４…  折り曲げ部    ５６  …  開口部
５１、６１、７１、８１  …  本体
６６ａ、６７ａ、６６ｂ、６７ｂ、６６ｃ、６７ｃ、６６ｄ、６７ｄ  …  フック部    
６８ａ  …  抑え部
１５、７７  …  ボタン    ８８  …  伸張部
ＳＫ  …  スカート    ＳＨ  …  スカート本体
ＷＢ  …  腰帯部    Ｈ  …  スカート丈
【図１】
2019085665.tif 000003
【図２】
2019085665.tif 000004
【図３】
2019085665.tif 000005
【図４】
2019085665.tif 000006
【図５】
2019085665.tif 000007
【図６】
2019085665.tif 000008
【図７】
2019085665.tif 000009